(57)【要約】【課題】    室内意匠を良好に維持できるものでありながら、部品点数を削減して、材料コストを低減することができる家具転倒防止装置を提供する。【解決手段】  家具(７)が地震等によって転倒するのを防止するための家具転倒防止装置(１)を、壁面(６)とその壁面(６)に対向する家具(７)の面(８)とに取り付けられる同一構造の一対の取付金具(２)(２)と、それらの取付金具(２)(２)同士を連結する連結金具(４)とから構成する。【選択図】  図１
2006122100.tif 000002
【特許請求の範囲】
【請求項１】
壁面とその壁面に対向する家具の面とに取り付けられる同一構造の一対の取付金具と、それらの取付金具同士を連結する連結金具とからなることを特徴とする家具転倒防止装置。
【請求項２】
一対の取付金具は、互いに同一形状を有するものである請求項１記載の家具転倒防止装置。
【請求項３】
取付金具と連結金具とのうち一方の金具が備える係合突起と、他方の金具が備える係合溝とを係合させることで、それら取付金具と連結金具を連結してなる請求項１又は２記載の家具転倒防止装置。
【請求項４】
取付金具の金具本体及び連結金具の金具本体はプレート状に形成されており、それら取付金具の金具本体と連結金具の金具本体とは、互いに平行に配置された状態で連結可能とされている請求項１乃至３のいずれかに記載の家具転倒防止装置。
【請求項５】
係合溝は、連結金具又は取付金具における金具本体の端面より内側に向かって延び、その内側の端部において略直角に屈曲するように形成されている請求項１乃至４のいずれかに記載の家具転倒防止装置。
【請求項６】
係合突起の先端に、その係合突起が係合溝から抜けるのを防ぐためのストッパーが設けられている請求項１乃至５のいずれかに記載の家具転倒防止装置。
【請求項７】
連結金具の金具本体に、複数の係合溝が所定方向に沿って間隔を空けて設けられ、それらの係合溝に対して、壁面側の係合突起と家具側の係合突起とが前記所定方向において交互となるように係合可能とされている請求項１乃至６のいずれかに記載の家具転倒防止装置。
【発明の詳細な説明】
【技術分野】
【０００１】
この発明は、壁沿いに設置した家具が、地震等の振動によって転倒するのを防止するための家具転倒防止装置に関する。
【背景技術】
【０００２】
地震の際に家具が転倒するのを防止する対策としては、従来より、次のように家具を固定することが行われている。すなわち、家具上面と天井とに跨るようにして突っ張り棒を設置したり、家具上面と壁面とに跨ってチェーンを張設したり、家具上面と壁面とに跨ってＬ型金具を取り付けたりすることによって家具を固定して、地震が起こっても家具が転倒しないようにしている。
【０００３】
しかし、上記において、突っ張り棒を用いた場合には、家具の上方において突っ張り棒が見えるため室内意匠を損ねてしまうとともに、揺れの方向によっては突っ張りが利かないことがあるといった欠点がある。また、チェーンやＬ型金具を用いた場合には、それらチェーン等がやはり家具の上方に露出するため見栄えが悪く、家具の天板にビス打ちしなければならない欠点もあった。
【０００４】
これに対して、下記の特許文献１に記載された家具転倒防止装置では、家具側取付金具を家具の背面に取り付けるとともに、家具側取付金具とは別の壁側取付金具を壁面に取り付けて、それら両側の取付金具を連結金具で連結することで、家具が壁面に固定されるようになっている。すなわち、家具の固定に用いる３つの金具が、壁面と家具との間の隙間に隠されることとなるため、室内意匠を損なうことなく家具の転倒を防止できるようになっている。
【０００５】
【特許文献１】特開平８−２５６８５９号公報
【発明の開示】
【発明が解決しようとする課題】
【０００６】
しかし、特許文献１の家具転倒防止装置では、全く構造の異なる３つの金具を複雑に係合させて連結するようになっているため、部品点数が多くなり、材料コストが高くなってしまう欠点があった。
【０００７】
そこで、この発明は、上記のような不具合を解消して、室内意匠を良好に維持できるものでありながら、部品点数を削減して、材料コストを低減することができる家具転倒防止装置を提供することを目的とする。
【課題を解決するための手段】
【０００８】
上記の課題を解決するため、この発明における家具転倒防止装置は、壁面とその壁面に対向する家具の面とに取り付けられる同一構造の一対の取付金具と、それらの取付金具同士を連結する連結金具とからなることを特徴とする。
【０００９】
具体的に、一対の取付金具は、互いに同一形状を有するものである。
【００１０】
また、取付金具と連結金具とのうち一方の金具が備える係合突起と、他方の金具が備える係合溝とを係合させることで、それら取付金具と連結金具を連結してなる。
【００１１】
さらに、取付金具の金具本体及び連結金具の金具本体はプレート状に形成されており、それら取付金具の金具本体と連結金具の金具本体とは、互いに平行に配置された状態で連結可能とされている。
【００１２】
さらにまた、係合溝は、連結金具又は取付金具における金具本体の端面より内側に向かって延び、その内側の端部において略直角に屈曲するように形成されている。
【００１３】
また、係合突起の先端に、その係合突起が係合溝から抜けるのを防ぐためのストッパーが設けられている。
【００１４】
さらに、連結金具の金具本体に、複数の係合溝が所定方向に沿って間隔を空けて設けられ、それらの係合溝に対して、壁面側の係合突起と家具側の係合突起とが前記所定方向において交互となるように係合可能とされている。
【発明の効果】
【００１５】
この発明における家具転倒防止装置では、同一構造を有する一対の取付金具を、壁面とその壁面に対向する家具の面とに取り付け、それら取付金具同士を連結金具で連結することで、家具が壁面に固定されるようになっている。従って、それら２種類の金具を壁面と家具との間の隙間に隠すように取り付けることで、それらの金具の露出を防いで室内意匠を良好に維持できる。
【００１６】
しかも、取付金具と連結金具の２種類の金具を用いるだけで済むため、前述の特許文献１に記載されているように３種類の金具を複雑に係合させるものに比べて、部材点数を削減して、材料コストを低減することができる。特に、一対の取付金具として、互いに同一形状のものを用いることによって、材料コストをさらに低減することができる。
【００１７】
また、取付金具と連結金具とのうち一方の金具が備える係合突起と、他方の金具が備える係合溝とを係合させることで、それら取付金具と連結金具が連結されるため、それらの金具の連結に際して、接着や溶接等の煩雑な作業を要せず、家具の固定作業の省力化を図ることができる。
【００１８】
さらに、プレート状の取付金具の金具本体と連結金具の金具本体とは、互いに平行に配置された状態で連結可能とされているため、家具と壁面との間の狭い隙間に取付金具と連結金具を取り付けることができる。
【００１９】
さらにまた、係合溝は、連結金具又は取付金具における金具本体の端面より内側に向かって延び、その内側の端部において略直角に屈曲するように形成されている。したがって、連結金具を一対の取付金具間の隙間へ所定方向に沿って差し込みながら、係合溝内に係合突起を嵌入させた後、その差込方向と略直角な方向に沿って連結金具をスライドさせることによって、係合突起と係合溝とを簡単に係合させることができる。
【００２０】
また、係合突起の先端に、その係合突起が係合溝から抜けるのを防ぐためのストッパーが設けられているため、取付金具と連結金具をより確実に連結することができる。
【００２１】
さらに、連結金具の金具本体に、複数の係合溝を所定方向に沿って間隔を空けて設け、それらの係合溝に対して、壁面側の係合突起と家具側の係合突起とを前記所定方向において交互に係合可能とすることで、壁面側及び家具側の取付金具同士を、簡単な構造で確実に連結させることができる。
【発明を実施するための最良の形態】
【００２２】
以下、この発明の実施形態を図面に基づいて詳細に説明する。図１に示すように、この発明の一実施形態に係る家具転倒防止装置(１)は、壁面(６)とその壁面(６)に対向する家具(７)の背面(８)若しくは側面(９)とに取り付けられる同一構造の一対の取付金具(２)(２)と、それら取付金具(２)(２)同士を連結する連結金具(４)とからなっている。
【００２３】
一対の取付金具(２)(２)は、互いに同一形状を有している。それぞれの取付金具(２)は、細長のプレート状に形成された金具本体(11)と、この金具本体(11)の一方の表面に突設された係合突起(13)(13)とを備えている。
【００２４】
取付金具(２)の金具本体(11)には、その長さ方向に沿って一定の間隔を空けながら、複数のビス挿通孔(12)(12)…が設けられている。そして、これらのビス挿通孔(12)(12)…に挿通されるビス(15)(15)…が、壁面(６)又は家具(７)の背面(８)若しくは側面(９)にねじ込まれることで、取付金具(２)の金具本体(11)が、壁面(６)又は家具(７)の背面(８)若しくは側面(９)に沿って取り付けられるようになっている。
【００２５】
係合突起(13)は、例えば丸棒状に形成され、金具本体(11)表面の面方向に対して略直角な方向に沿って設けられている。また、係合突起(13)の先端には、その係合突起(13)が連結金具(４)の係合溝(23)から抜けるのを防ぐためのストッパー(14)が設けられている。このストッパー(14)は、係合突起(13)の径よりも大径の例えば円盤状に形成されている。
【００２６】
係合突起(13)(13)は、それぞれの取付金具(２)に例えば一対ずつ設けられ、それら係合突起(13)(13)は、金具本体(11)の長さ方向に間隔を空けて設けられている。係合突起(13)(13)間の間隔は、例えば、ビス挿通孔(12)(12)…のピッチの略２倍とされ、それぞれの係合突起(13)は、互いに隣接するビス挿通孔(12)(12)間の中間部に設けられている。
【００２７】
そして、一対の取付金具(２)(２)を対向配置することにより、一方の取付金具(２)の係合突起(13)と、他方の取付金具(２)の係合突起(13)とを、金具本体(11)(11)の長さ方向において交互となるように配置できるようになっている。なお、それぞれの取付金具(２)において、係合突起(13)の個数は、必ずしも２つに限られず、１つ又は３つ以上であっても良い。
【００２８】
連結金具(４)は、金具本体(21)と摘み片(22)とが断面Ｌ字状に連なって構成され、それら金具本体(21)及び摘み片(22)は細長のプレート状に形成されている。なお、摘み片(22)は、その摘み片(22)を摘むことによって連結金具(４)の取付け作業を行いやすくするためのものである。
【００２９】
連結金具(４)の金具本体(21)には、取付金具(２)(２)の係合突起(13)(13)…と係合可能な係合溝(23)(23)…が形成されている。係合溝(23)は、連結金具(４)の金具本体(21)をその厚さ方向に貫通して設けられている。
【００３０】
そして、この係合溝(23)に対して、金具本体(21)の厚さ方向に沿って係合突起(13)を貫通させることで、その係合突起(13)を係合溝(23)に係合できるようになっている。すなわち、取付金具(２)(２)の金具本体(11)(11)と連結金具(４)の金具本体(21)とが互いに平行に配置された状態で、係合突起(13)(13)…と係合溝(23)(23)…とが係合するようになっており、それにより取付金具(２)(２)と連結金具(４)とが連結可能となっている。
【００３１】
また、係合溝(23)は、金具本体(21)における摘み片(22)とは反対側の端面より内側に向かって延び、その内側の端部において略直角に屈曲するように形成されている。すなわち、係合溝(23)は、図５に示すように、金具本体(21)の端面側に開放する開放溝部(25)と、この開放溝部(25)に対して略直角な方向に沿って設けられた係合溝部(24)とが、略Ｌ字状に連なって構成されている。
【００３２】
開放溝部(25)は、金具本体(21)の長さ方向に対して略直角な方向に沿って設けられ、取付金具(２)の係合突起(13)の径よりも大きな幅を備えている。したがって、この開放溝部(25)において、係合溝(23)への係合突起(13)の嵌入が可能となっている。
【００３３】
他方、係合溝部(24)は、金具本体(21)の長さ方向に沿って設けられ、係合突起(13)の径と同程度か又は僅かに大きな幅を備えている。そして、この係合溝部(24)内に嵌り込んだ係合突起(13)は、係合溝部(24)の幅方向の移動を制限された状態で、係合溝部(24)の長さ方向に沿ってスライド可能とされ、その係合突起(13)を、係合溝部(24)における開放溝部(25)とは反対側の先端までスライドさせることにより、係合突起(13)が係合溝(23)に係止されるようになっている。
【００３４】
この係合溝(23)(23)…は、金具本体(21)の長さ方向に沿って一定の間隔を空けて複数設けられている。これらの係合溝(23)(23)…のピッチは、それぞれの取付金具(２)における係合突起(13)(13)間の間隔と比べて略半分の間隔となっている。そして、それぞれの取付金具(２)の係合突起(13)(13)は、金具本体(21)の長さ方向における１つおきの係合溝(23)(23)に対して係合可能となっている。すなわち、係合溝(23)(23)…に対して、一方の取付金具(２)の係合突起(13)(13)と、他方の取付金具(２)の係合突起(13)(13)とが、金具本体(21)の長さ方向において交互に係合可能となっている。
【００３５】
次に、上記の家具転倒防止装置(１)を用いて、図３(ａ)の平面図および図３(ｂ)の側面図に示すように、家具(７)の背面(８)を壁面(６)に沿わせるように設置する家具(７)について、その家具(７)を固定する手順について説明する。
【００３６】
先ず、家具(７)を、所定の設置場所に対して壁面(６)から少し遠ざかった位置に仮置きして、壁下地の状況を確認しながら家具転倒防止装置(１)(１)…の取付け位置を決める。
【００３７】
ここでは、図１１(ａ)に示すように、壁下地としての縦桟(31)(31)…の位置が、家具(７)の左右両端部の位置に合致しているものとして、家具(７)の背面(８)の四隅と、壁面(６)においてそれら四隅に対応する位置とに、それぞれ家具転倒防止装置(１)(１)…の取付金具(２)(２)…を取り付け、壁面側と家具側の取付金具(２)(２)…同士を連結金具(４)(４)…で連結して、家具(７)を壁面(６)に固定することとする。
【００３８】
これによって、家具(７)の上部だけでなく下部についても同様に固定できるため、家具の上部だけを固定する場合に比べて、家具の転倒をより確実に防ぐことができるとともに、壁下地である縦桟(31)(31)に対して取付金具(２)(２)…を確実に固定することができる。
【００３９】
そして、図２に示すように、家具(７)背面(８)の上側においては、左右それぞれの端部に取付金具(２)(２)…を横向きとなるようにビス(15)(15)…で固定し、家具(７)背面(８)の下側においては、左右それぞれの端部に取付金具(２)(２)…を縦向きとなるようにビス(15)(15)…で固定する。
【００４０】
同様にして、壁面(６)側においても、家具(７)側の取付金具(２)(２)…に対して、壁面(６)に正対する方向から見て一致する位置に、取付金具(２)(２)…をビス(15)(15)…で固定する。このとき、壁面(６)側の取付金具(２)(２)…は、図３に示すように、それらの取付金具(２)(２)…の係合突起(13)(13)…が家具(７)側の取付金具(２)(２)…の係合突起(13)(13)…と干渉しないような向きで取り付けるようにする。
【００４１】
なお、取付金具(２)(２)…の取付け位置は、必ずしも上記の位置に限られるものではなく、後述するように、壁下地の設置状況に応じて任意に決定するようにする。また、取付金具(２)(２)…の取り付け方向も特に限定されるものではなく、例えば、上側の取付金具(２)(２)…を縦向きに取り付けたり、下側の取付金具(２)(２)…を横向きに取り付けたりすることを妨げるものではない。
【００４２】
このようにして壁面(６)および家具(７)の背面(８)にそれぞれ取付金具(２)(２)…を取り付けた後、図４に示すように、家具(７)を、壁面(６)沿いの所定の設置場所に設置する。これにより、壁面側の取付金具(２)(２)…と家具側の取付金具(２)(２)…とは、壁面(６)に正対した方向から見て一致した位置において対向配置されるとともに、壁面側の取付金具(２)(２)…の係合突起(13)(13)…と、家具側の取付金具(２)(２)…の係合突起(13)(13)…とが、金具本体(11)の長さ方向において交互に配置される。
【００４３】
最後に、そのように対向配置された取付金具(２)(２)…間の隙間にそれぞれ連結金具(４)(４)…を差し込み、それら連結金具(４)(４)…を介して、壁面側及び家具側の取付金具(２)(２)…同士を連結させる。このとき、それぞれの取付金具(２)(２)…は、家具(７)の各コーナー部分に取り付けられているため、連結金具(４)(４)…を、家具(７)と壁面(６)との間の隙間の奥の方へ差し込まなくても済み、その隙間の外側から連結金具(４)(４)…を容易に取り付けることができる。以下、家具(７)の上部側及び下部側のそれぞれについて具体的に説明する。
【００４４】
家具(７)の上部側の連結金具(４)は、係合溝(23)(23)…の開放溝部(25)(25)…が下向きとなるように金具本体(21)を横向きにした状態で、壁面側及び家具側の取付金具(２)(２)に上側から引っ掛けて取り付け、これにより、それら取付金具(２)(２)同士を連結させる。
【００４５】
具体的には、連結金具(４)の金具本体(21)を、壁面側及び家具側の取付金具(２)(２)間の隙間へ下向きに差し入れながら、図５(ａ)に示すように、係合溝(23)(23)…の開放溝部(25)(25)…に係合突起(13)(13)…を嵌入させる。続いて、連結金具(４)の金具本体(21)をさらに押し下げ、それにより開放溝部(25)(25)…の上端に係合突起(13)(13)…が当接した後、連結金具(４)の金具本体(21)を横方向にスライドさせる。そして、図５(ｂ)に示すように、係合突起(13)(13)…が係合溝部(24)(24)…の先端に当接するまで、連結金具(４)の金具本体(21)をスライドさせることによって、係合突起(13)(13)…が係合溝(23)(23)…に係止されるようになっている。
【００４６】
この状態において、係合突起(13)(13)…は、左右方向における開放溝部(25)(25)…側への移動のみが可能となっている。したがって、地震等によって上下方向の揺れが生じても、係合突起(13)(13)…が係合溝(23)(23)…に引っ掛かるため、連結金具(４)(４)が外れないようになっている。
【００４７】
また、左右方向の揺れへの対策としては、図４に示すように、壁面(６)に正対した方向から見て左右の一方の側の連結金具(４)を、係合溝部(24)(24)…が開放溝部(25)(25)…の左側に配置されるような向きで取り付け、左右の他方の側の連結金具(４)を、係合溝部(24)(24)…が開放溝部(25)(25)…の右側に配置されるような向きで取り付けるようにする。
【００４８】
これにより、それら左右両側の連結金具(４)(４)では、それぞれの係合溝(23)(23)…内において係合突起(13)(13)…の移動が許容される向きが互いに左右反対となる。従って、地震等により左右方向のいずれの向きに揺れが生じた場合でも、左右いずれかの連結金具(４)において、係合突起(13)(13)…が係合溝(23)(23)…に引っ掛かることとなり、その連結金具(４)(４)の取付け状態が維持されるようになっている。
【００４９】
さらに、連結金具(４)の取付け状態においては、図６に示すように、連結金具(４)の金具本体(21)における家具側の表面に、壁面側の係合突起(13)(13)のストッパー(14)(14)が係止され、連結金具(４)の金具本体(21)における壁面側の表面に、家具側の係合突起(13)(13)のストッパー(14)(14)が係止されるようになっている。したがって、家具(７)が壁面(６)から離間するような方向の揺れが生じても、係合突起(13)(13)…が係合溝(23)(23)…から抜けないため、その方向の揺れによっても、連結金具(４)は外れないようになっている。
【００５０】
他方、家具(７)の下部側の連結金具(４)は、図８に示すように、係合溝(23)の開放溝部(25)(25)…が差込側に配置され、且つ、その開放溝部(25)(25)…に対して係合溝部(24)(24)…が上側に配置されるようにして金具本体(21)を縦向きにした状態で、壁面側及び家具側の取付金具(２)(２)に横側から引っ掛けて取り付け、これにより、それら取付金具(２)(２)同士を連結させる。
【００５１】
具体的には、連結金具(４)の金具本体(21)を、壁面側及び家具側の取付金具(２)(２)間の隙間へ横向きに差し入れながら、係合溝(23)(23)…の開放溝部(25)(25)…に係合突起(13)(13)…を嵌入させた後、その係合突起(13)(13)…が係合溝部(24)(24)…の上端に当接するまで、連結金具(４)の金具本体(21)を下方へスライドさせることにより、係合突起(13)(13)…が係合溝(23)(23)…に係止されるようになっている。
【００５２】
この状態において、係合突起(13)(13)…は、下方への移動のみが可能となっている。したがって、地震等によって左右方向の揺れが生じても、係合突起(13)(13)…が係合溝(23)(23)…に引っ掛かるため、連結金具(４)が外れないようになっている。また、上下方向の揺れが生じた場合でも、連結金具(４)は、その自重により上方へスライドしにくくなっているため、容易には外れないようになっている。
【００５３】
さらに、家具(７)の下部側の連結金具(４)も、上部側の連結金具(４)と同様に、その金具本体(21)に係合突起(13)(13)…のストッパー(14)(14)…が係止されるようになっているため、家具(７)が壁面(６)から離間するような方向の揺れが生じても外れないようになっている。
【００５４】
このように、それぞれの家具転倒防止装置(１)(１)…が、あらゆる方向の揺れに対応して取り付けられており、それら家具転倒防止装置(１)(１)…によって家具(７)の上部及び下部が壁面(６)に固定されているため、地震等による家具(７)の転倒を確実に防止できるようになっている。
【００５５】
また、この取付け状態においては、例えば図７に示すように、取付金具(２)(２)及び連結金具(４)が、壁面(６)と家具(７)との間の隙間に隠れた状態となるため、室内意匠が損なわれないようになっている。
【００５６】
以上の取付け状態においても、連結金具(４)(４)…は十分に外れ難くなっているが、横向きに取り付ける一対の取付金具(２)(２)については、図９に示すように、それら取付金具(２)(２)同士を２つの連結金具(４)(４)によって連結するようにしても良く、その場合は、取付金具(２)(２)同士をより確実に連結させることができる。
【００５７】
すなわち、この場合は、２つの連結金具(４)(４)を、それらのスライド方向が互いに左右逆方向となるような向きでそれぞれ取付金具(２)(２)に係合させる。これにより、左右方向のいずれかの向きに揺れが生じた場合、仮に一方の連結金具(４)が外れてしまったとしても、他方の連結金具(４)の連結状態が維持されるため、家具転倒防止装置(１)の取付け状態を安定させることができる。
【００５８】
また、家具転倒防止装置(１)(１)…の取付け状態を安定させるための別の構成としては、例えば、図１０に示すように、それぞれの連結金具(４)の全部又は一部の係合溝(23)(23)…において、その開放溝部(25)の開口端部を塞ぐカラビナ式のクリップ(35)を設けることも考えられる。すなわち、その場合は、開放溝部(25)の開口端部において、その開口端部を塞いだ状態において内向きの一方向にのみ開放可能なようにカラビナ式クリップ(35)を設ける。
【００５９】
つまり、このカラビナ式クリップ(35)は、係合溝(23)の外側から係合突起(13)に押されると開くようになっているため、その係合突起(13)が係合溝(23)内に嵌入するのを妨げることがなく、係合溝(23)の内側から係合突起(13)に押されても開くことがないため、係合突起(13)が係合溝(23)から抜けるのを防ぐようになっている。すなわち、このカラビナ式クリップ(35)を設けることにより、連結金具(４)取付け時の作業性を良好に維持しつつ、取付け状態の連結金具(４)が容易に外れるのを防止することができる。
【００６０】
上記においては、図１１(ａ)に示すように、家具(７)の左右両端部が縦桟(31)(31)の位置に合致している場合について説明したが、その他の場合であっても、家具転倒防止装置(１)(１)…は、壁下地の設置状況に応じて取り付けることができ、新築の建物だけでなく、既存の建物においても有効に用いることができる。
【００６１】
例えば、図１１(ｂ)に示すように、家具(７)の左右両端部が、縦桟(31)(31)…の位置と合致しない場合、すなわち、家具(７)の左右方向において一方の端部と中央部との２箇所において家具(７)と縦桟(31)(31)の位置が合致する場合は、その端部において上下２箇所に装置(１)(１)を取り付け、中央部においては上部のみに装置(１)を取り付けるようにする。これにより、取付金具(２)(２)…を縦桟(31)(31)に確実に固定できるとともに、連結金具(４)(４)…を家具(７)と壁面(６)との間の隙間の外側から容易に取り付けることができる。
【００６２】
一方、図１１(ｃ)に示すように、壁下地として横桟(32)(32)が設けられている場合は、家具(７)と横桟(32)(32)が合致するそれぞれの高さ位置において、家具(７)の左右両端の２箇所に装置(１)(１)を取り付ける。これにより、取付金具(２)(２)…を横桟(32)(32)に確実に固定できるとともに、連結金具(４)(４)…を家具(７)と壁面(６)との間の隙間の外側から容易に取り付けることができる。
【００６３】
また、上記においては、壁面(６)に対して、家具(７)の背面(８)のみを固定する場合について説明したが、壁面(６)の形状によっては、家具(７)の側面(９)についても同様に固定しても良い。
【００６４】
例えば、図１２(ａ)に示すように、家具(７)を壁のコーナー部分に設置する場合は、家具(７)の背面(８)に加えて、家具(７)の側面(９)側も家具転倒防止装置(１)(１)…で固定するようにする。これにより、連結金具(４)の差入れが困難な家具(７)背面(８)の下部を固定しなくても、図１２(ｂ)に示すように、家具(７)背面(８)の上部と、家具(７)側面(９)の上部及び下部とを、それぞれ装置(１)(１)…で固定することで、それらの装置(１)(１)…の連結金具(４)(４)…を、家具(７)と壁面(６)との間の隙間の外側から容易に取り付けることができるとともに、壁面(６)に対して家具(７)を確実に固定することができる。
【００６５】
一方、図１３(ａ)に示すように、アルコーブに家具(７)を設置する場合は、家具(７)の両側の側面(９)(９)を装置(１)(１)…で固定するようにする。これにより、連結金具(４)の取付けが困難な家具(７)背面(８)を固定しなくても、図１３(ｂ)に示すように、家具(７)の両側の側面(９)(９)の上部及び下部を、それぞれ装置(１)(１)…で固定することで、それらの装置(１)(１)…の連結金具(４)(４)…を、家具(７)と壁面(６)との間の隙間の外側から容易に取り付けることができるとともに、壁面(６)に対して家具(７)を確実に固定することができる。
【００６６】
なお、この発明は、上記実施形態に限定されるものではなく、この発明の範囲内で上記実施形態に多くの修正及び変更を加え得ることは勿論である。例えば、上記においては、取付金具(２)(２)に係合突起(13)(13)…が設けられ、連結金具(４)に係合溝(23)(23)…が設けられているが、連結金具(４)に係合突起(13)(13)…を設け、取付金具(２)(２)に係合溝(23)(23)…を設けるようにしても良い。
【図面の簡単な説明】
【００６７】
【図１】この発明の一実施形態に係る家具転倒防止装置を示す斜視図である。
【図２】取付金具の取付け例を示す斜視図である。
【図３】同じくその取付け例を示す模式図である。
【図４】連結金具の取付け例を示す斜視図である。
【図５】連結金具の取付け手順を示す縦断面図である。
【図６】家具転倒防止装置の取付け状態を示す横断面図である。
【図７】同じくその斜視図である。
【図８】家具の下部側における連結金具の取付け例を示す斜視図である。
【図９】一対の取付金具に対して２つの連結金具を用いる場合の取付け例を示す斜視図である。
【図１０】カラビナ式クリップを設けた場合の連結金具を示す側面図である。
【図１１】壁下地の設置状況に応じた家具転倒防止装置の取付け例を示す模式図である。
【図１２】壁のコーナー部分における家具転倒防止装置の取付け例を示す模式図である。
【図１３】アルコーブにおける家具転倒防止装置の取付け例を示す模式図である。
【符号の説明】
【００６８】
(１)  家具転倒防止装置
(２)  取付金具
(４)  連結金具
(６)  壁面
(７)  家具
(８)  家具の面(背面)
(９)  家具の面(側面)
(11)  取付金具の金具本体
(13)  係合突起
(14)  ストッパー
(21)  連結金具の金具本体
(23)  係合溝
【図１】
2006122100.tif 000003
【図２】
2006122100.tif 000004
【図３】
2006122100.tif 000005
【図４】
2006122100.tif 000006
【図５】
2006122100.tif 000007
【図６】
2006122100.tif 000008
【図７】
2006122100.tif 000009
【図８】
2006122100.tif 000010
【図９】
2006122100.tif 000011
【図１０】
2006122100.tif 000012
【図１１】
2006122100.tif 000013
【図１２】
2006122100.tif 000014
【図１３】
2006122100.tif 000015